(57)【要約】【課題】接着剤が硬化するまでの仮止め状態でも確実に保持できて仮止め中にストッパーが脱落するおそれがないようにする。【解決手段】軒先に沿って軒樋１を配設すると共に建物に取り付けた軒樋支持具２に軒樋１の前後の耳部３，４を嵌合して軒樋１を吊り支持し、軒樋支持具２に対して軒樋１が軒樋１の長手方向に移動しないようにするため軒樋支持具２に当たるストッパーＡを軒樋１の前側の耳部３の近傍に取り付けた軒樋のストッパー取り付け構造である。これにおいて、軒樋１の前壁５の上端から後方に連出した連出片６の先端から下方に前側の耳部３を突設して前壁５の上端部と連出片６と前側の耳部３で囲まれた下方を開口せる保持隙間７を形成する。ストッパーＡの圧入部８を保持隙間７に下方の開口から圧入すると共に前側の耳部３の弾性にて前側の耳部３と前壁５の上端部との間に圧入部８を挟み込ませる。【選択図】        図１
2005016118.tif 000002
【特許請求の範囲】
【請求項１】
軒先に沿って軒樋を配設すると共に建物に取り付けた軒樋支持具に軒樋の前後の耳部を嵌合して軒樋を吊り支持し、軒樋支持具に対して軒樋が軒樋の長手方向に移動しないようにするため軒樋支持具に当たるストッパーを軒樋の前側の耳部の近傍に取り付けた軒樋のストッパー取り付け構造において、軒樋の前壁の上端から後方に連出した連出片の先端から下方に前側の耳部を突設して前壁の上端部と連出片と前側の耳部で囲まれた下方を開口せる保持隙間を形成し、ストッパーの圧入部を保持隙間に下方の開口から圧入すると共に前側の耳部の弾性にて前側の耳部と前壁の上端部との間に圧入部を挟み込ませたことを特徴とする軒樋へのストッパー取り付け構造。
【請求項２】
前側の耳部の保持隙間側の面に凸部を設けると共にストッパーの圧入部に凹部を設けて凸部と凹部とを係止したことを特徴とする請求項１記載の軒樋へのストッパー取り付け構造。
【請求項３】
ストッパーに手で掴んだりし得る立片を一体に突設すると共に圧入部に接着剤を保持する凹凸部を設けたことを特徴とする請求項１または請求項２記載の軒樋へのストッパー取り付け構造。
【発明の詳細な説明】
【０００１】
【発明の属する技術分野】
本発明は、軒樋を軒樋支持具に吊り支持したとき、軒樋支持具に対して軒樋が軒樋の長手方向に移動しないように止めるためのストッパーを取り付ける構造に関するものである。
【０００２】
【従来の技術】
従来のこの種のストッパーＡ′として図６や図７に示すものがある（例えば、特許文献１参照）。これは略逆Ｌ字状の持ち手ａの下部から一対の差し込み片ｂを間隔を隔てて突設してあり、差し込み片ｂの先端には横向き半円柱状の嵌合部ｃを設けてあり、一対の差し込み片ｂの間で持ち手ａの下部から斜め上方に突出するようにばね片ｄを突設してある。また軒樋ｅの前側の耳部ｆの下には断面断面半円状の凹所ｈを長手方向に亙って設けてあり、凹所ｈを開口部ｉにて軒樋ｅ内に開放してある。
【０００３】
軒樋ｅにストッパーＡ′を取り付ける場合、まず、差し込み片ｂの下面側に図６（ｂ）に示すように接着剤ｊを塗布し、持ち手ａを手で持って図７（ａ）の状態から嵌合部ｃを開口部ｉに挿入し、図７（ｂ）に示すようにストッパーＡ′を回転し、図７（ｃ）に示すように嵌合部ｃを凹所ｈ内に嵌合させ、ばね片ｄを内面に弾接させた状態で接着剤ｊが硬化するまで保持する。このようにストッパーＡ′を軒樋ｅに取り付けると、軒樋ｅを吊り支持する軒樋支持具の前端部を一対の差し込み片ｂ間に位置させることで軒樋ｅが軒樋支持具に対して軒樋ｅの長手方向に移動しないように止められるようになっている。
【０００４】
【特許文献１】
特開平１１−９３３５１号公報
【０００５】
【発明が解決しようとする課題】
ところが、上記従来例ではストッパーＡ′を軒樋ｅに取り付けた場合、接着剤ｊが乾いて硬化するまでストッパーＡ′を仮止めするのはストッパーＡ′のばね片ｄの弾性力のみにたよっている部分が大きく、接着剤ｊが乾いて硬化するまで強固に係止できているとは云えない。このため、接着剤ｊが乾いて硬化するまでの仮止め中にストッパーＡ′が抜け落ちてしまうおそれがある。またストッパーＡ′を取り付けた時、ストッパーＡ′が確実に取り付けられたか確認し難く、ストッパーＡ′が確実に取り付けられないことがおこるという問題がある。またストッパーＡ′の嵌合部ｃを嵌め込む際、接着剤ｊが掻き落とされるおそれがあり、接着剤ｊで確実に接着できないという問題がある。
【０００６】
本発明は上記の点に鑑みてなされたものであり、接着剤が硬化するまでの仮止め状態でも確実に保持できて仮止め中にストッパーが脱落するおそれがない軒樋へのストッパー取り付け構造を提供することを課題とするものである。
【０００７】
【課題を解決するための手段】
上記課題を解決するための本発明の軒樋へのストッパー取り付け構造は、軒先に沿って軒樋１を配設すると共に建物の取り付けた軒樋支持具２に軒樋１の前後の耳部３，４を嵌合して軒樋１を吊り支持し、軒樋支持具２に対して軒樋１が軒樋１の長手方向に移動しないようにするため軒樋支持具２に当たるストッパーＡを軒樋１の前側の耳部３の近傍に取り付けた軒樋のストッパー取り付け構造において、軒樋１の前壁５の上端から後方に連出した連出片６の先端から下方に前側の耳部３を突設して前壁５の上端部と連出片６と前側の耳部３で囲まれた下方を開口せる保持隙間７を形成し、ストッパーＡの圧入部８を保持隙間７に下方の開口から圧入すると共に前側の耳部３の弾性にて前側の耳部３と前壁５の上端部との間に圧入部８を挟み込ませたことを特徴とする。このようにストッパーＡの圧入部８を保持隙間７に圧入してストッパーＡを取り付けるとき、軒樋１の長手方向に亙る前側の耳部３の弾性にて前側の耳部３と前壁５の上端部との間に圧入部８が挟み込まれて保持されるため、接着剤９で接着してストッパーＡを固定する際、接着剤９が硬化するまでの仮保持が従来のばね片によるものに比べて遥かに強固で、ストッパーＡが脱落しないように確実に取り付けることができきる。
【０００８】
また前側の耳部３の保持隙間７側の面に凸部１０を設けると共にストッパーＡの圧入部８に凹部１０を設けて凸部１０と凹部１１とを係止したことを特徴とすることも好ましい。この場合、凸部１０と凹部１１とを係止してストッパーＡを一層確実に取り付けることができる。また圧入部８を保持隙間７に圧入して凸部１０と凹部１１を係止したとき「パチン」というような音がするので圧入部８がきちんと嵌め込まれてストッパーＡが確実に取り付けられたか確認でき、ストッパーＡを所定の状態に確実に取り付けることができる。
【０００９】
またストッパーＡに手で掴んだりし得る立片１２を一体に突設すると共に圧入部８に接着剤９を保持する凹凸部１３を設けたことを特徴とすることも好ましい。立片１２を有することにより、立片１２を手で掴むことでストッパーＡの取り付けが容易にできる。また凹凸部１３に接着剤９を保持することにより圧入部８を圧入するとき接着剤９が掻き落とされることがなく、接着剤９でストッパーＡを確実に取り付けることができる。
【００１０】
【発明の実施の形態】
ストッパーＡは軒樋支持具２に軒樋１を吊り支持したとき軒樋１が軒樋１の長手方向に移動しないように止めるものであって、合成樹脂等にて図５に示すような形状に形成されている。ストッパーＡにストッパーＡを取り付けるとき圧入する圧入部８を有するものであって、本例の場合、圧入部８として第１圧入部８ａと第２圧入部８ｂとを有し、第１圧入部８ａと第２圧入部８ｂとが相反する方向に突出している。第１圧入部８ａと第２圧入部８ｂとの間からこれらと直交する方向に立片１２を一体に突設してある。
【００１１】
第１圧入部８ａの立片１２を突設した側の面には後述する前側の耳部３に係止する凹部１１として第１凹部１１ａを設けてある。第２圧入部８ｂの立片１２を突設した側の面には前側の耳部３に係止する凹部１１として第２凹部１１ｂ，１１ｃを鋸刃状に２個並設してある。第１圧入部８ａや第２圧入部８ｂの立片１２を突設した側と反対の面には後述する接着剤を塗布する凹凸部１３を設けてあり、第１圧入部８ａには第１凹凸部１３ａを設けてあり、第２圧入部８ｂには第２凹凸部１３ｂを設けてある。
【００１２】
上記のストッパーＡを取り付ける軒樋１としては図１乃至図４に示すような形状のものがある。図１乃至図４に示す軒樋１は夫々種類の異なるものであり、夫々前壁５の形状やサイズが主に異なるものである。図１に示す軒樋１と図２に示す軒樋１の前壁５は全体的に彎曲形状に形成してあり、図３に示す軒樋１と図４に示す軒樋１とは前壁５が上に行く程前に行くように傾斜させてある。何れの軒樋１も前壁５の上端から後方に向けて軒樋１の長手方向に亙る連出片６を連出してあり、連出片６の先端から下方に突出するように前側の耳部３を長手方向全長に亙って突設してある。そして前壁５の上端部と連出片６と前側の耳部３とで囲まれ部分に下方を開口せる保持隙間７を形成してある。このとき耳部３の保持隙間７に臨む面には凹部１１に係止する凸部１０を設けてあるが、図１、図２に示す軒樋１では凸部１０ａを設けてあり、図３、図４に示す軒樋１では凸部１０ｂを設けてある。また軒樋１の後壁１４の上端には後側の耳部４を長手方向全長に亙って設けてある。
【００１３】
軒樋支持具２は支持具本体２ａの後端に鼻板等に取り付けるための取り付け板１５を一体に設けてあり、支持具本体２ａの先端には前耳係合部を設けてあり、支持具本体２ａの後端の手前に後耳嵌合部１７を設けてある。この軒樋支持具２は取り付け板１５を鼻板等に固着することで取り付けられ、軒先に沿って配置した軒樋１の保持隙間７を軒樋支持具２の前耳係合部を係合すると共に軒樋１の後側の耳部４に後耳嵌合部１７を嵌合することで軒樋１が吊り支持される。
【００１４】
上記のように軒樋１を軒樋支持具２で吊り支持した状態で軒樋支持具２に対して軒樋１が軒樋１の長手方向に移動しないように軒樋支持具２の左右の両側で軒樋１にストッパーＡが取り付けられる。図１に示す軒樋１にストッパーＡを取り付ける場合、第１凹凸部１３ａに接着剤９を塗布し、立片１２を手で持って軒樋１の前壁５と耳部３との間の保持隙間７に第１圧入部８ａを圧入する。このとき、第１凹部１１ａと凸部１０ａとが係止する位置まで圧入され、係止によりパチンという音が発したりして所定位置まで圧入されたか確認されて所定位置まで確実に圧入される。第１圧入部８ａを保持隙間７に圧入した状態で耳部３の図１の矢印イ方向の弾性にて第１圧入部８ａが挟み込まれ、接着剤９が硬化するまでストッパーＡの第１圧入部８ａが外れないように確実に仮保持される。この際、第１凹部１１ａと凸部１０ａとの係止にてもさらにストッパーＡが外れないように取り付けられる。また第１圧入部８ａを保持隙間７に圧入するとき、第１凹凸部１３ａに接着剤９が塗布されているために圧入するときに接着剤９が掻き取られるおそれがない。また図２に示す軒樋１にストッパーＡを取り付ける場合も、図１に示す軒樋１に取り付ける場合と同様に取り付けられる。
【００１５】
図３に示す軒樋１にストッパーＡを取り付ける場合、第２凹凸部１３ｂに接着剤９を塗布し、立片１２を手で持って軒樋１の前壁５と耳部３との間の保持隙間７に第２圧入部８ｂを圧入する。このとき、第２凹部１１ｂと凸部１０ｂとが係止する位置まで圧入され、係止によりパチンという音が発したりして所定位置まで圧入されたか確認されて所定位置まで確実に圧入される。第２圧入部８ｂを保持隙間７に圧入した状態で耳部３の図３の矢印イ方向の弾性にて第２圧入部８ｂが挟み込まれ、接着剤９が硬化するまでストッパーＡの第２圧入部８ｂが外れないように確実に仮保持される。この際、第２凹部１１ｂと凸部１０ｂとの係止にてもさらにストッパーＡが外れないように取り付けられる。また第２圧入部８ｂを保持隙間７に圧入するとき、第２凹凸部１３ｂに接着剤９が塗布されているために圧入するときに接着剤９が掻き取られるおそれがない。図４に示す軒樋１にストッパーＡを取り付ける場合も、図３に示す軒樋１に取り付ける場合と同様に取り付けられるが、第２圧入部８ｂを保持隙間７に圧入したとき、第２凹部１１ｃと凸部１０ｂとが係止するようになっているだけが異なる。
【００１６】
上記のように軒樋１にストッパーＡを取り付けることにより、軒樋１が軒樋支持具２に対して軒樋１の長手方向に移動しないように止めるとことができるが、本発明のストッパーＡの場合、上記のように４種類の軒樋１に対して共通して装着することができ、部品の種類の削減を図ることができる。
【００１７】
【発明の効果】
本発明はストッパーの圧入部を保持隙間に圧入してストッパーを取り付けるとき、軒樋の長手方向に亙る前側の耳部の弾性にて前側の耳部と前壁の上端部との間に圧入部が挟み込まれて保持されるため、接着剤で接着してストッパーを固定する際、接着剤が硬化するまでの仮保持が従来のばね片によるものに比べて遥かに強固で、ストッパーが脱落しないように確実に取り付けることができるものである。
【図面の簡単な説明】
【図１】本発明の実施の形態の一例で軒樋にストッパーを取り付けた状態の断面図である。
【図２】同上の他の形状の軒樋にストッパーを取り付けた状態の断面図である。
【図３】同上の他の形状の軒樋にストッパーを取り付けた状態の断面図である。
【図４】同上の他の形状の軒樋にストッパーを取り付けた状態の断面図である。
【図５】同上のストッパーを示す斜視図であって、（ａ）（ｂ）は異なる方向から見た図である。
【図６】（ａ）は従来例のストッパーの斜視図、（ｂ）はストッパーに接着剤を塗布した状態の斜視図である。
【図７】（ａ）（ｂ）（ｃ）は従来例の軒樋にストッパーを取り付ける状態を説明する断面図である。
【符号の説明】
Ａ  ストッパー
１  軒樋
２  軒樋支持具
３  前側の耳部
４  後側の耳部
５  前壁
６  連出片
７  保持隙間
８  圧入部
９  接着剤
１０  凸部
１１  凹部
１２  立片
１３  凹凸部
【図１】
2005016118.tif 000003
【図２】
2005016118.tif 000004
【図３】
2005016118.tif 000005
【図４】
2005016118.tif 000006
【図５】
2005016118.tif 000007
【図６】
2005016118.tif 000008
【図７】
2005016118.tif 000009